(57)【特許請求の範囲】
【請求項１】
コンテンツを特定のユーザに配信するコンテンツ配信システムにおいて、
前記コンテンツを配信するコンテンツ配信サーバと、
前記コンテンツ配信サーバが前記コンテンツを配信するユーザを特定するための特定情報を保有し、保有する前記特定情報を出力するデータ通信機能部と、
前記データ通信機能部との通信により前記特定情報を読み取る読取装置と、
前記読取装置が読み取った特定情報を用いて自装置の認証を行い、認証が確立された場合に、前記コンテンツ配信サーバにコンテンツ配信要求を出力し、出力したコンテンツ配信要求に応じて配信されたコンテンツを取得し、再生するコンテンツ受信装置とを備え、
前記データ通信機能部および前記読取装置は近距離通信機能を有し、前記データ通信機能部と前記読取装置との間で近距離通信が確立されると、前記データ通信機能部が保有する特定情報を出力し、前記読取装置が出力された特定情報を読み取ることを特徴とするコンテンツ配信システム。
【請求項２】
前記読取装置は、前記コンテンツ受信装置内に配置され、
前記データ通信機能部は、前記読取装置および前記コンテンツ配信サーバと近距離通信を確立するＩＣチップであることを特徴とする請求項１記載のコンテンツ配信システム。
【請求項３】
コンテンツを記憶する記憶装置を備え、
前記コンテンツ受信装置は、
前記特定情報に基づいて自装置を認証し、認証が確立された場合に前記コンテンツ配信サーバにコンテンツ配信要求を出力する第２の認証処理部を備え、
前記コンテンツ配信サーバは、前記第２の認証処理部から入力されたコンテンツ配信要求に基づいて、前記記憶装置から配信すべきコンテンツを選択するコンテンツ選択部と、
前記コンテンツ選択部が選択したコンテンツをあらかじめ設定された配信単位のコンテンツに分割して抽出するコンテンツ抽出部と、
前記第２の認証処理部から入力される１のコンテンツ配信要求に対して、前記コンテンツ抽出部が抽出した配信単位のコンテンツを前記コンテンツ受信装置に対して配信するコンテンツ配信部とを備えたことを特徴とする請求項１または請求項２記載のコンテンツ配信システム。
【請求項４】
コンテンツ配信サーバが特定のコンテンツ受信装置に対してコンテンツを配信するコンテンツ配信方法において、
前記コンテンツ受信装置内に配置された読取装置と、前記コンテンツ配信サーバと通信可能なデータ通信機能部との間で近距離通信が確立するステップと、
前記データ通信機能部が、前記コンテンツを配信する前記コンテンツ受信装置を特定する特定情報を出力するステップと、
前記読取装置が、前記データ通信機能部から出力された特定情報を読み取るステップと、
前記コンテンツ受信装置が、前記読取装置が読み取った特定情報を用いて自装置の認証を行い、認証された場合にコンテンツ配信要求を出力するステップと、
前記コンテンツ配信サーバが、前記コンテンツ受信装置から出力されたコンテンツ配信要求に基づいて、前記コンテンツ受信装置に前記コンテンツを配信するステップとを備えたことを特徴とするコンテンツ配信方法。
【発明の詳細な説明】
【技術分野】
【０００１】
この発明は、コンテンツの配信を特定の領域に限定したコンテンツ配信システムおよびその方法に関するものである。
【背景技術】
【０００２】
近年、携帯電話やスマートフォンなどの携帯端末は、ＣＰＵの性能向上により静止画像のみではなく動的な映像などを含むリッチコンテンツの再生が可能となっている。また、携帯端末にはＷｉ−Ｆｉなどの無線ＬＡＮ通信機能が搭載され、電波エリア圏内であればどこでも映像を含むコンテンツを見ることが可能となっている。
【０００３】
このような背景から、携帯端末へのコンテンツ配信サービスあるいはコンテンツ配信システムが広まっている。その一例に映像監視システムが上げられる。従来パソコンやモニタで行っていた監視カメラ映像の確認動作を携帯端末上で実現する需要が高まっている。しかし、携帯電話回線やＷｉ−Ｆｉなどの無線通信の場合、電波エリア圏内にいる携帯端末ユーザであれば誰でもコンテンツを再生することができるため、秘匿性の高い情報である監視映像の配信を行う映像監視システムの分野では、監視映像の配信を特定の場所あるいは位置に限定する必要があり、無線通信の利用が課題となっていた。
【０００４】
この対策として、特許文献１では、店舗利用者の携帯端末に対してコンテンツ使用権を発行し、コンテンツ使用権を有する携帯端末を所持する利用者が店舗の外に出るとコンテンツ使用権を無効化し、一方店舗内に居続ける利用者に対してのみ無線ＬＡＮを通じてコンテンツの配信サービスを提供するコンテンツ配信システムが開示されている。特許文献１のコンテンツ配信システムをより具体的に説明すると、店舗内サーバがコンテンツ使用権を有する携帯端末に対して質問データを定期的に送信し、当該質問データに対する応答が返信されない携帯端末を店舗の外に出た携帯端末として検出し、当該携帯端末に対してはコンテンツの配信を停止する。
【０００５】
また、特許文献２では、携帯再生装置と再生装置とが近距離通信によって通信を確立し、携帯再生装置にあらかじめ記録されているコンテンツの再生権を近距離通信によって操作し、特定の場所のみでコンテンツの再生を許可するコンテンツ提供システムが開示されている。
【先行技術文献】
【特許文献】
【０００６】
【特許文献１】特開２００４−２２０４６４号公報
【特許文献２】特開２０１１−２１６０９９号公報
【発明の概要】
【発明が解決しようとする課題】
【０００７】
しかしながら、上述した特許文献１に開示された技術では、携帯端末が店舗内に存在することを無線ＬＡＮによる通信によって確認してコンテンツの配信制限をかけているため、一定の空間のみにコンテンツの配信が可能である点は有効性が高いが、無線ＬＡＮの電波範囲よりも狭い範囲においてコンテンツ配信制限をかけることができないという課題があった。
【０００８】
また、上述した特許文献２に開示された技術では、近距離通信を用いることによりコンテンツの再生可能エリアを限定しているが、再生コンテンツをあらかじめ携帯端末に保存する必要があり、監視映像のような秘匿性の高いコンテンツが漏洩する危険性があるという課題があった。
【０００９】
この発明は、上記のような課題を解決するためになされたもので、近距離通信が成立する場合のみコンテンツ配信を可能とし、且つ携帯端末にあらかじめ再生コンテンツを保存させることなく、コンテンツをストリーミング配信することを目的とする。
【課題を解決するための手段】
【００１０】
この発明に係るコンテンツ配信システムは、コンテンツを配信するコンテンツ配信サーバと、前記コンテンツ配信サーバが前記コンテンツを配信するユーザを特定するための特定情報を保有し、保有する前記特定情報を出力するデータ通信機能部と、前記データ通信機能部との通信により前記特定情報を読み取る読取装置と、前記読取装置が読み取った特定情報を用いて自装置の認証を行い、認証が確立された場合に、前記コンテンツ配信サーバにコンテンツ配信要求を出力し、出力したコンテンツ配信要求に応じて配信されたコンテンツを取得し、再生するコンテンツ受信装置とを備え、前記データ通信機能部および前記読取装置は近距離通信機能を有し、前記データ通信機能部と前記読取装置との間で近距離通信が確立されると、前記データ通信機能部が保有する特定情報を出力し、前記読取装置が出力された特定情報を読み取ることを特徴とする。
【発明の効果】
【００１１】
この発明によれば、狭い範囲に限定してコンテンツをストリーミング配信することができる。これにより、コンテンツを受信する携帯端末を適切に特定することができ、意図しない第三者がコンテンツを受信する危険性を抑制することができる。また、コンテンツの携帯端末へのコピーが不要となり、コンテンツが流出するのを防止することができる。
【図面の簡単な説明】
【００１２】
【図１】実施の形態１によるコンテンツ配信システムの構成を示すブロック図である。
【図２】実施の形態１によるコンテンツ配信システムの動作を示すフローチャートである。
【図３】実施の形態２によるコンテンツ配信システムの構成を示すブロック図である。
【図４】実施の形態２によるコンテンツ配信システムの動作を示すフローチャートである。
【図５】実施の形態３によるコンテンツ配信システムの構成を示すブロック図である。
【図６】実施の形態３によるコンテンツ配信システムの動作を示すフローチャートである。
【発明を実施するための形態】
【００１３】
実施の形態１．
図１は、この発明の実施の形態１によるコンテンツ配信システムの構成を示すブロック図である。図１において、コンテンツ配信システムは記録装置１０、コンテンツ配信サーバ２０、読取装置３０、コンテンツ受信装置４０で構成されている。コンテンツ配信サーバ２０とコンテンツ受信装置４０は、ネットワーク６０を介して互いに通信可能に接続されている。図１では、説明の簡略化のため、コンテンツ配信サーバ２０およびコンテンツ受信装置４０をそれぞれ１台ずつ示しているが、コンテンツ配信サーバ２０およびコンテンツ受信装置４０がそれぞれ複数台接続されたコンテンツ配信システムを構成することも可能である。また、コンテンツ配信サーバ２０とコンテンツ受信装置４０を接続するネットワーク６０は、無線ＬＡＮや有線ＬＡＮ、無線広域網などにより構成可能である。また、ネットワーク６０を介さず、近距離通信機能を搭載してコンテンツを配信してもよい。また、配信されるコンテンツは映像コンテンツに限定されるものではなく、映像以外のコンテンツを含んでいてもよく、適宜構成可能である。
【００１４】
記録装置１０は、配信する映像コンテンツや映像以外のコンテンツ（以下、コンテンツと称する）を記録し、コンテンツ配信サーバ２０から情報の読み出しや情報の書き込みが可能である。なお、この記録装置１０はコンテンツ配信サーバ２０内に設けてもよい。コンテンツ配信サーバ２０は、コンテンツ受信装置４０の認証を行い、認証されたコンテンツ受信装置４０に対して記録装置１０に記録されたコンテンツなどを配信する。コンテンツ配信サーバ２０は、例えばパソコン、映像レコーダあるいは監視カメラなどで構成される。
【００１５】
読取装置３０は、コンテンツ配信サーバ２０に接続され、近距離無線通信方式を用いてコンテンツ受信装置４０からコンテンツ受信装置４０の認証情報を読み取る。読み取った認証情報は、コンテンツ配信サーバ２０で利用される。コンテンツ受信装置４０は、コンテンツ配信サーバ２０から配信されたコンテンツを受信し、再生する。コンテンツ受信装置４０は、例えばパソコン、携帯電話、スマートフォン、あるいはタブレット端末などで構成される。なお、近距離無線通信方式の通信エリアは、数メートルから数センチ程度の極短い距離となる。
【００１６】
次に、各構成をより詳細に説明すると、コンテンツ配信サーバ２０は、認証処理部２１、コンテンツ選択部２２、配信単位抽出部２３およびコンテンツ配信部２４で構成されている。
認証処理部２１は、読取装置３０が読み取ったコンテンツ受信装置４０の認証情報を用いて、コンテンツ受信装置４０の認証処理を行う。コンテンツ受信装置４０の認証が成功すると、認証確立情報をコンテンツ選択部２２に出力する。コンテンツ選択部２２は、認証確立情報を取得すると、コンテンツ受信装置４０の認証情報の記載内容に応じたコンテンツを記録装置１０から選択する。
【００１７】
配信単位抽出部２３は、コンテンツ選択部２２が選択したコンテンツからあらかじめ設定された配信単位のコンテンツに分割して抽出し、抽出したコンテンツを配信可能に設定する。配信単位抽出部２３にあらかじめ設定される配信単位は、コンテンツの１フレームとしてもよいし、ＭＰＥＧなどのフレーム間予測方式の符号化映像を想定し、キーフレームとその従属フレームを１単位としてもよい。コンテンツ配信部２４は、配信単位抽出部２３で抽出されたコンテンツを、ネットワーク６０を介してコンテンツ受信装置４０に配信する。
【００１８】
コンテンツ受信装置４０は、ＩＣチップ（データ通信機能部）５０、コンテンツ取得部４１およびコンテンツ表示部４２で構成されている。
ＩＣチップ５０は、コンテンツ受信装置４０を特定するためのＩＤ情報など（以下、認証情報と称する）を保有している。当該ＩＣチップ５０と読取装置３０が近距離通信可能な距離まで近接すると、読取装置３０により認証情報が読み取られる。コンテンツ取得部４１は、ネットワーク６０を介してコンテンツ配信部２４から配信されたコンテンツを取得する。コンテンツ表示部４２は、コンテンツ取得部４１が取得したコンテンツを表示する。
【００１９】
次に、ＩＣチップ５０と読取装置３０間の近距離通信方式について説明する。
ＩＣチップ５０および読取装置３０間に近距離通信が成立している間のみ、コンテンツ配信サーバ２０からコンテンツ受信装置４０に対してコンテンツを配信することができる。これにより、無線ＬＡＮの電波範囲よりも狭い範囲に限定してコンテンツを配信することができる。
ＩＣチップ５０と読取装置３０間の近距離通信方式としては、利便性が高く、狭い範囲に場所を限定可能なＮＦＣ（Near Field Communication）の利用が想定される。また、場所の限定範囲に応じてＢｌｕｅｔｏｏｔｈ（登録商標）やＷｉ-Ｆｉ  Ｄｉｒｅｃｔなどの通信方式を利用してもよい。また、赤外線通信や２次元バーコード読み取り、ＲＦＩＤ（Radio Frequency Identification）を利用した認証なども適用可能である。
【００２０】
認証処理部２１は、読取装置３０が読み取った認証情報を用いてコンテンツ受信装置４０の認証を行う。認証情報を用いたコンテンツ受信装置４０の認証では、記録装置１０にあらかじめコンテンツ受信装置４０の認証データベース（不図示）を格納しておき、読取装置３０が読み取った認証情報を、当該認証データベースを用いて照合することにより、コンテンツ受信装置４０の認証を行うことができる。また、別途リモートに存在する認証サーバを用いてコンテンツ受信装置４０の認証を行ってもよい。
【００２１】
図２は、この発明の実施の形態１によるコンテンツ配信システムの処理動作を示すフローチャートである。
コンテンツ受信装置４０と読取装置３０とが近距離通信可能な距離まで近接すると、読取装置３０は、コンテンツ受信装置４０のＩＣチップ５０から認証情報の読み取り処理を実行し（ステップＳＴ１）、認証情報の読み取りに成功したか否か判定を行う（ステップＳＴ２）。認証情報の読み取りに成功した場合（ステップＳＴ２；ＹＥＳ）、読取装置３０は読み取った認証情報をコンテンツ配信サーバ２０に出力する。コンテンツ配信サーバ２０の認証処理部２１は、入力された認証情報の認証処理を実行し（ステップＳＴ３）、認証情報が認証されたか否か判定を行う（ステップＳＴ４）。認証情報が認証された場合（ステップＳＴ４；ＹＥＳ）、認証処理部２１はコンテンツ選択部２２に対して認証確立情報を出力する。コンテンツ選択部２２は、認証情報の記載内容に応じたコンテンツを記録装置１０から選択する（ステップＳＴ５）。
【００２２】
配信単位抽出部２３は、ステップＳＴ５で選択されたコンテンツをあらかじめ設定された配信単位のコンテンツに分割して抽出し、配信可能状態とする（ステップＳＴ６）。コンテンツ配信部２４は、ステップＳＴ６で抽出された配信単位のコンテンツをコンテンツ受信装置４０に配信する（ステップＳＴ７）。コンテンツ受信装置４０のコンテンツ取得部４１はステップＳＴ７で配信された配信単位のコンテンツを取得し（ステップＳＴ８）、コンテンツ表示部４２はステップＳＴ８で取得された配信単位のコンテンツを表示する（ステップＳＴ９）。その後フローチャートはステップＳＴ１の処理に戻り、上述した処理を繰り返す。
【００２３】
一方、認証情報の読み取りに失敗した場合（ステップＳＴ２；ＮＯ）、あるいは認証情報が認証されなかった場合（ステップＳＴ４；ＮＯ）には、コンテンツの配信を停止し（ステップＳＴ１０）、処理を終了する。
上述した図２のフローチャートの処理を実施することにより、読取装置３０とＩＣチップ５０が近距離通信可能な距離まで近接している場合のみコンテンツをストリーミング配信し、コンテンツ受信装置４０においてコンテンツを表示することができる。また、１回の読取処理および認証処理に対して、あらかじめ設定された配信単位のコンテンツのみを配信することができる。
【００２４】
以上のように、この実施の形態１によれば、コンテンツ受信装置４０を特定するためのＩＤ情報などの認証情報を記憶したＩＣチップ５０が読取装置３０と近距離通信可能な距離まで近接している場合に、読取装置３０が認証情報を読み取り、コンテンツ配信サーバ２０がコンテンツ受信装置４０を認証し、認証が成功した場合に、ネットワーク６０を介してコンテンツをストリーミング配信するように構成したので、読取装置から近距離に存在するコンテンツ受信に限定したコンテンツをストリーミング配信することができる。これにより秘匿性の高いコンテンツを第３者が受信して再生する、あるいは携帯端末に保存して持ち出すことが不可能となり、秘匿性の高いコンテンツが外部に漏洩する危険性を低減することができる。
【００２５】
また、この実施の形態１によれば、コンテンツ配信サーバ２０に、選択されたコンテンツをあらかじめ設定された配信単位のコンテンツに分割して抽出する配信単位抽出部２３を備えるように構成したので、あらかじめ設定した配信単位のコンテンツのみを配信することができ、秘匿性の高いコンテンツが外部に漏洩する危険性をより低減することができる。
【００２６】
なお、上述した実施の形態１では、コンテンツ配信サーバ２０のコンテンツ選択部２２が、認証情報の記載内容に応じて配信するコンテンツを選択する構成を示したが、異なる構成としてコンテンツ受信装置４０に操作入力部を設け、当該操作入力部を用いてユーザの選択操作を受け付け、受け付けた選択指示に基づいてコンテンツ選択部２２が記憶装置１０からコンテンツを選択するように構成してもよい。
【００２７】
また、上述した実施の形態１では、コンテンツ受信装置４０のコンテンツ表示部４２は、コンテンツ取得部４１が取得したコンテンツが入力されると同時に表示を行う構成を示したが、コンテンツ受信装置にコンテンツを一定時間あるいは一定量蓄積するバッファを設け、当該バッファに蓄積されたコンテンツを表示するように構成してもよい。
【００２８】
実施の形態２．
この実施の形態２では、ＩＣチップが設置された場所で、ＩＣチップ読取装置を搭載したコンテンツ受信装置がコンテンツをストリーミング受信して表示するコンテンツ配信システムについて説明する。
図３は、この発明の実施の形態２によるコンテンツ配信システムの構成を示すブロック図である。図３では、ＩＣチップ５０´をコンテンツ受信装置４０外に配置し、一方、読取装置３０´をコンテンツ受信装置４０内に配置する構成を示している。また、読取装置３０´をコンテンツ受信装置４０内に配置したことから、認証処理部４３をコンテンツ受信装置４０内に配置している。なお、以下では、実施の形態１によるコンテンツ配信システムの構成要素と同一または相当する部分には、実施の形態１で使用した符号と同一の符号を付して説明を省略または簡略化する。
【００２９】
ＩＣチップ５０´と読取装置３０´は、実施の形態１と同様に双方が一定距離まで近接している間のみ近距離通信が成立する。
ＩＣチップ５０´は、例えば壁や卓などに埋め込まれる。また、ＩＣチップ５０´は、コンテンツ配信サーバ２０がコンテンツの配信を許可するコンテンツ受信装置を特定するＩＤ情報や機器情報（以下、特定情報と称する）などを保有している。当該ＩＣチップ５０´とコンテンツ受信装置４０の読取装置３０´が近距離通信可能な距離まで近接すると、読取装置３０´がＩＣチップ５０´の特定情報を読み取る。認証処理部４３は、読取装置３０´が読み取った特定情報を用いて、自装置であるコンテンツ受信装置４０の認証処理を行う。コンテンツ受信装置４０の認証が成功すると、ネットワーク６０を介してコンテンツサーバ２０に対してコンテンツの配信開始要求を出力する。この配信開始要求には、配信要求するコンテンツを指定する情報も含まれるものとする。コンテンツ受信装置４０のその他の構成は実施の形態１と同一である。
【００３０】
コンテンツ選択部２２は、コンテンツの配信開始要求を受信すると、当該配信開始要求の記載内容に応じたコンテンツを記録装置１０から選択する。コンテンツ配信サーバ２０のその他の構成は実施の形態１と同一である。
【００３１】
次に、実施の形態２によるコンテンツ配信システムの動作について説明する。
図４は、この発明の実施の形態２によるコンテンツ配信システムの処理動作を示すフローチャートである。なお、実施の形態１によるコンテンツ配信システムと同一ステップには図２で使用した符号と同一の符号を付し、説明を省略または簡略化する。
コンテンツ受信装置４０が、所定の場所に設置されたＩＣチップ５０´に対して近距離通信可能な距離まで近接すると、コンテンツ受信装置４０の読取装置３０´がＩＣチップ５０´から特定情報を読み取る処理を実行し（ステップＳＴ２１）、特定情報の読み取りに成功したか否か判定を行う（ステップＳＴ２２）。特定情報の読み取りに成功した場合（ステップＳＴ２２；ＹＥＳ）、認証処理部４３は特定情報の認証処理を実行し（ステップＳＴ２３）、特定情報が認証されたか否か判定を行う（ステップＳＴ２４）。特定情報が認証された場合（ステップＳＴ２４；ＹＥＳ）、認証処理部４３はコンテンツ配信サーバ２０に対してコンテンツの配信開始要求を送信する（ステップＳＴ２５）。
【００３２】
コンテンツ配信サーバ２０がステップＳＴ２５で送信されたコンテンツの配信開始要求を受信すると、コンテンツ選択部２２は、配信開始要求の記載内容に応じたコンテンツを記憶装置１０から選択する（ステップＳＴ２６）。その後、コンテンツ配信サーバ２０およびコンテンツ受信装置４０は、実施の形態１で示したステップＳＴ６からステップＳＴ９で示した処理と同一の処理を行い、コンテンツ受信装置４０においてコンテンツを表示する。その後フローチャートはステップＳＴ２１の処理に戻り、上述した処理を繰り返す。
【００３３】
一方、特定情報の読み取りに失敗した場合（ステップＳＴ２２；ＮＯ）、あるいは特定情報が認証されなかった場合（ステップＳＴ２４；ＮＯ）には、コンテンツ受信装置４０がコンテンツ配信サーバ２０に対して配信停止要求を送信し（ステップＳＴ２７）、処理を終了する。
上述した図４のフローチャートの処理を実施することにより、ＩＣチップ５０´と読取装置３０´とが近距離通信可能な距離まで近接している場合のみコンテンツをストリーミング配信し、コンテンツ受信装置４０においてコンテンツを表示することができる。また、１回の読み取り処理、および認証処理に対して、あらかじめ設定された配信単位のコンテンツのみを配信することができる。
【００３４】
以上のように、この実施の形態２によれば、コンテンツ配信を許可する特定情報を記憶したＩＣチップ５０´と、コンテンツ受信装置４０の読取装置３０´が、近距離通信可能な距離まで近接している場合に、読取装置３０´が当該特定情報を読み取り、自装置であるコンテンツ受信装置４０を認証し、認証が成功した場合に、ネットワーク６０を介してコンテンツの配信開始要求を出力し、コンテンツのストリーミング配信を行うように構成したので、ＩＣチップから近距離に存在するコンテンツ受信装置に限定してコンテンツをストリーミング配信することができる。これにより秘匿性の高いコンテンツを第３者が再生する、あるいは携帯端末に保存して持ち出すことが不可能となり、秘匿性の高いコンテンツが外部に漏洩する危険性を低減することができる。
【００３５】
また、この実施の形態２によれば、ＩＣチップ５０´を特定の場所に設置し、設置場所から近距離に存在するコンテンツ受信装置４０にのみ特定情報を取得可能に構成したので、ＩＣチップ５０´を特定の場所に設置するのみで、コンテンツ配信可能場所を指定することができる。これによりコンテンツ配信可能場所の設置の自由度を高めることができると共に、コンテンツ配信可能場所の設置に係る費用を抑制することができる。
【００３６】
実施の形態３．
この実施の形態３では、ＩＣチップ読取装置が設置された場所において、近距離通信用デバイスを搭載したコンテンツ受信装置がコンテンツをストリーミング受信して表示する構成について説明する。
図５は、この発明の実施の形態３によるコンテンツ配信システムの構成を示すブロック図である。図５では、実施の形態１で示したＩＣチップ５０に替えて、コンテンツ受信装置４０に近距離通信モジュール（データ通信機能部）５１を設け、さらに近距離通信用情報生成部４４を追加して設けている。なお、以下では、実施の形態１によるコンテンツ配信システムの構成要素と同一または相当する部分には、実施の形態１で使用した符号と同一の符号を付して説明を省略または簡略化する。
【００３７】
近距離通信用情報生成部４４は、コンテンツ受信装置４０を特定するＩＤ情報などで構成される認証情報を生成する。生成された認証情報は、ネットワーク６０を介してコンテンツ配信サーバ２０の認証処理部２１に出力される。近距離通信モジュール５１は、コンテンツ受信装置４０と読取装置３０が近距離通信可能な距離まで近接すると、近距離通信用情報生成部４４が生成した認証情報を読取装置３０に対して発信する。読取装置３０は、近距離通信モジュール５１から発信された認証情報を受信し、読み取り処理を実行し、読み取り処理に成功すると認証情報をコンテンツ配信サーバ２０の認証処理部２１に出力する。
【００３８】
次に、実施の形態３によるコンテンツ配信システムの動作について説明する。
図６は、この発明の実施の形態３によるコンテンツ配信システムの処理動作を示すフローチャートである。なお、実施の形態１によるコンテンツ配信システムと同一ステップには図２で使用した符号と同一の符号を付し、説明を省略または簡略化する。
コンテンツ受信装置４０の近距離通信用情報生成部４４は、コンテンツ受信装置４０の認証情報を生成し（ステップＳＴ３１）、ネットワーク６０を介してコンテンツ配信サーバ２０に送信する（ステップＳＴ３２）。
【００３９】
コンテンツ受信装置４０と読取装置３０が近距離通信可能な距離まで近接すると、コンテンツ受信装置４０はステップＳＴ３１で生成した認証情報を、近距離通信モジュール５１を介して読取装置３０側に送信し、読取装置３０は受信した受信装置認証情報の読み取り処理を実行する（ステップＳＴ３３）。読取装置３０は認証情報の読み取りに成功したか否か判定を行い（ステップＳＴ３４）、認証情報の読み取りに成功した場合（ステップＳＴ３４；ＹＥＳ）、読取装置３０は認証情報を認証処理部２１に出力する。
【００４０】
認証処理部２１は、認証情報の認証処理を実行し（ステップＳＴ３５）、認証情報が認証されたか否か判定を行う（ステップＳＴ３６）。なお、認証処理部２１は、近距離通信用情報生成部４４からネットワーク６０を介して入力された認証情報と、読取装置３０から入力された認証情報とを比較して一致した場合に、認証確立とする。認証情報が認証された場合（ステップＳＴ３６；ＹＥＳ）、コンテンツ選択部２２が認証情報の記載内容に応じて記録装置１０から配信するコンテンツを選択する（ステップＳＴ５）。
【００４１】
その後、コンテンツ配信サーバ２０およびコンテンツ受信装置４０は、実施の形態１で示したステップＳＴ６からステップＳＴ９で示した処理と同一の処理を行い、コンテンツ受信装置４０においてコンテンツを表示する。その後フローはステップＳＴ３１の処理に戻り、上述した処理を繰り返す。
一方、認証情報の読み取りに成功しなかった場合（ステップＳＴ３４；ＮＯ）、あるいは認証情報が認証されなかった場合（ステップＳＴ３６；ＮＯ）には、コンテンツの配信を停止し（ステップＳＴ１０）、処理を終了する。
上述した図６のフローチャートの処理を実施することにより、読取装置３０と近距離通信モジュール５１が近距離通信可能な距離まで近接している場合のみコンテンツをストリーミング配信し、コンテンツ受信装置４０においてコンテンツを表示することができる。また、１回の読み取り処理および認証処理に対して、あらかじめ設定された一定単位のコンテンツのみを配信することができる。
【００４２】
以上のように、この実施の形態３によれば、コンテンツ受信装置４０の認証情報をあらかじめ生成し、コンテンツ配信サーバ２０に配信する近距離通信用情報生成部４４と、読取装置３０と近距離通信可能な距離まで近接している場合に、近距離通信用情報生成部４４が生成した認証情報を読取装置３０に送信する近距離通信モジュール５１と、コンテンツ受信装置４０を認証し、認証が成功した場合に、ネットワーク６０を介してコンテンツ受信装置４０に対してコンテンツをストリーミング配信するコンテンツ配信サーバ２０とを備えるように構成したので、読取装置から近距離に存在するコンテンツ受信装置に限定してコンテンツをストリーミング配信することができる。これにより秘匿性の高いコンテンツを第３者が再生する、あるいは携帯端末に保存して持ち出すことが不可能となり、秘匿性の高いコンテンツが外部に漏洩する危険性を低減することができる。
【００４３】
また、この実施の形態３によれば、コンテンツ受信装置４０に、認証情報を生成する近距離通信用情報生成部４４を設け、生成した認証情報をコンテンツ配信サーバ２０に送信すると共に、読取装置３０と近距離通信可能な距離まで近接した場合に読取装置３０に送信するように構成したので、近距離通信による認証情報を動的に変更することができ、第三者が偽造したＩＣチップなどを用いて不正にコンテンツを受信するのを防止することができる。
【００４４】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４５】
１０  記録装置、２０  コンテンツ配信サーバ、２１，４３  認証処理部、２２  コンテンツ選択部、２３  配信単位抽出部、２４  コンテンツ配信部、３０  読取装置、４０  コンテンツ受信装置、４１  コンテンツ取得部、４２  コンテンツ表示部、５０  ＩＣチップ、５１  近距離通信モジュール、６０  ネットワーク。
【図１】
0005804988.tif 000002
【図２】
0005804988.tif 000003
【図３】
0005804988.tif 000004
【図４】
0005804988.tif 000005
【図５】
0005804988.tif 000006
【図６】
0005804988.tif 000007